(57)【要約】      （修正有）【課題】飲食店等でマスクを取り外した際に容易にマスクを保管でき、さらに表面および裏面を有効な広告スペースとして活用できるマスクケースを提供する。【解決手段】広告付きマスクケース１０であって、表面と裏面を有する長方形状であり、表面に第一の広告表示領域１００と、第二の広告表示領域２００とを有し、三つ折りに畳むことで、マスクを収納可能な中空部４００を有する。【選択図】図２
0003229212.tif 000002
【実用新案登録請求の範囲】
【請求項１】
広告付きマスクケースであって、
表面と裏面を有する長方形状であり、
前記表面に第一の広告表示領域と、第二の広告表示領域とを有し、
マスクを収納可能な中空部を有する、
広告付きマスクケース。
【請求項２】
請求項１に記載の広告付きマスクケースにおいて、
前記裏面に抗菌剤を塗布する、
広告付きマスクケース。
【請求項３】
請求項１または請求項２に記載の広告付きマスクケースにおいて、
前記表面は、上端に第一接合領域を有し、
前記表面は、下端に第二接合領域を有し、
前記第一接合領域の裏面と前記第二接合領域の表面とを貼り合わせることで、三つ折りに畳む、
広告付きマスクケース。
【請求項４】
請求項１または請求項２に記載の広告付きマスクケースにおいて、
前記表面は、上端に第一接合領域を有し、
前記表面は、下端に第二接合領域を有し、
前記第一接合領域の裏面と前記第二接合領域の表面とをホチキスまたはチャックで止めることで、三つ折りに畳む、
広告付きマスクケース。
【請求項５】
請求項１または請求項２に記載の広告付きマスクケースにおいて、
前記表面は、上端に第一接合領域を有し、
前記表面は、下端に第二接合領域を有し、
前記第一接合領域の裏面と前記第二接合領域の表面とを縫製により接合することで、三つ折りに畳む、
広告付きマスクケース。
【考案の詳細な説明】
【技術分野】
【０００１】
本考案は、広告付きマスクケースに関する。
【背景技術】
【０００２】
従来、マスクをしながら飲食店を利用する際、利用客はマスクを取り外して食事中にマスクを保管しておく必要があった。しかし、店舗にマスクを保管する手段が用意されている場合は少なく、利用客がマスクを保管できず衛生上問題があった。さらに、店舗がマスクを保管する手段を設けることは、コストがかかり容易でない。
【先行技術文献】
【特許文献】
【０００３】
【特許文献１】特開２００９−１９９０１４号公報
【考案の概要】
【考案が解決しようとする課題】
【０００４】
特許文献１に記載されている技術では、領収書、受領証として多数配布されるレシートの裏面を有効な広告スペースとして活用できる。しかしながら、利用客がマスクを取り外した際に容易にマスクを保管することはできない。
【０００５】
本考案の目的は、飲食店等でマスクを取り外した際に容易にマスクを保管でき、さらに表面および裏面を有効な広告スペースとして活用できる技術を提供することである。
【課題を解決するための手段】
【０００６】
本願において開示される考案のうち、代表的なものの概要を簡単に説明すれば、次の通りである。
【０００７】
本考案の一実施の形態の広告付きマスクケースは、表面と裏面を有する長方形状であり、表面に第一の広告表示領域と、第二の広告表示領域とを有する。また、三つ折りに畳むことで、マスクを収納可能な中空部を有する。
【考案の効果】
【０００８】
本願において開示される考案のうち、代表的なものによって得られる効果を簡単に説明すれば以下のとおりである。
【０００９】
本考案の一実施の形態によれば、飲食店等でマスクを取り外した際に容易にマスクを保管でき、さらに表面および裏面を有効な広告スペースとして活用できる。
【図面の簡単な説明】
【００１０】
【図１】本考案の一実施の形態における広告付きマスクケースの平面図である。
【図２】本考案の一実施の形態における広告付きマスクケースの折り畳み方を示す概要図である。
【図３】本考案の一実施の形態における広告付きマスクケースを折り畳んだ後の表側を示す平面図である。
【図４】本考案の一実施の形態における広告付きマスクケースを折り畳んだ後の裏側を示す平面図である。
【図５】本考案の一実施の形態における広告付きマスクケースの斜視図である。
【考案を実施するための形態】
【００１１】
以下、本考案の実施の形態を図面に基づいて詳細に説明する。なお、実施の形態を説明するための全図において、同一部には原則として同一の符号を付し、その繰り返しの説明は省略する。
【００１２】
図１は、本考案の一実施の形態における広告付きマスクケース１０の平面図である。
【００１３】
図１に示されるように、広告付きマスクケース１０は、表面と裏面を有する長方形状である。また、広告付きマスクケース１０は、表面に飲食店などのマスクの配布元から利用客に向けた広告が表示される第一の広告表示領域１００と、飲食店などのマスクの配布元に出資する出資者の情報が表示される第二の広告表示領域２００とを有する。
【００１４】
図１に示されるように、広告付きマスクケース１０の表面は、上端に第一接合領域３００を有し、下端に第二接合領域３２０を有する。広告付きマスクケース１０の表面は、第一折れ線１１０と、第二折れ線２１０とを有する。広告付きマスクケース１０は、第一折れ線１１０と、第二折れ線２１０とを、表面が外側になるように折り畳まれる。
【００１５】
すなわち、広告付きマスクケース１０の、第一接合領域３００は、第二折れ線２１０を支点に表面が外側になるように（第二の広告表示領域２００とは逆側に）折り畳まれる。
【００１６】
また、広告付きマスクケース１０の、第一の広告表示領域１００は、第一折れ線１１０を支点に表面が外側になるように（第一の広告表示領域１００とは逆側に）折り畳まれる。
【００１７】
そして、広告付きマスクケース１０は、第一接合領域３００の裏面と第二接合領域３２０の表面とを貼り合わされた状態で、三つ折りに畳まれる。
【００１８】
このようにして、広告付きマスクケース１０は、表面が外側になるように三つ折りに畳むことができ、マスク５００を収納可能な中空部４００が、第一の広告表示領域１００の裏面と、第二の広告表示領域２００との間に形成される。そして、広告付きマスクケース１０の第一の広告表示領域１００の裏面と、第二の広告表示領域２００の裏面との間に形成される、中空部４００にマスク５００が収納される。
【００１９】
広告付きマスクケース１０の形状は、略長方形である。広告付きマスクケース１０の大きさは、例えば、展開した状態で、横方向（載置された状態における水平方向）の長さが１５〜３２ｃｍであり、縦方向（載置された状態における垂直方向）の長さが２０〜４０ｃｍであるが特に限定されない。望ましくは、広告付きマスクケース１０の形状は展開した状態で、横方向の長さよりも縦方向の長さが長いことが望ましい。
【００２０】
また、広告付きマスクケース１０を折り畳んだ後の形状は、例えば、横方向の長さが１５〜３２ｃｍであり、縦方向の長さが６〜１６ｃｍであるが特に限定されない。望ましくは、広告付きマスクケース１０の形状は折り畳まれた状態で、縦方向の長さよりも横方向の長さが長いことが望ましい。
【００２１】
広告付きマスクケース１０の素材は、紙である。しかし、素材としては、紙に限定されず、プラスチック・樹脂などのマスクケース１０を形成可能なあらゆる素材が含まれる。
【００２２】
また、広告付きマスクケース１０は、裏面に抗菌剤が塗布されている。すなわち、マスクケース１０の第一の広告表示領域１００の裏面と、第二の広告表示領域２００の裏面には、それぞれ抗菌剤が塗布されている。これによって、マスク５００を収納可能な中空部４００は、抗菌剤が塗布された面によって囲われた状態となる。このようにして、広告付きマスクケース１０は、マスク５００を収納した際に、その衛生状態を良好に維持できる。
【００２３】
図２は、本考案の一実施の形態における広告付きマスクケース１０の折り畳み方を示す概要図である。
【００２４】
図２に示されるように、広告付きマスクケース１０は、第一接合領域３００の裏面と第二接合領域３２０の表面とを貼り合わせることで、三つ折りに畳まれる。
【００２５】
折り畳まれる順序は、まず始めに、広告付きマスクケース１０の第一の広告表示領域１００が、第一折れ線１１０を支点に表面が外側になるように（第一の広告表示領域１００とは逆側に）折り畳まれる。
【００２６】
次に、広告付きマスクケース１０の第一接合領域３００が、第二折れ線２１０を支点に表面が外側になるように（第二の広告表示領域２００とは逆側に）折り畳まれる。
【００２７】
その後、広告付きマスクケース１０は、第一接合領域３００の裏面と第二接合領域３２０の表面とを貼り合わせる。なお、貼り合わせる手段は、接着剤等の周知手段によるものとする。
【００２８】
また、広告付きマスクケース１０は、第一接合領域３００の裏面と第二接合領域３２０の表面とを貼り合わせる代わりに、ホチキスで止める手段または、チャックで止める手段を用いても良い。
【００２９】
さらに、広告付きマスクケース１０は、第一接合領域３００の裏面と第二接合領域３２０の表面とを貼り合わせる代わりに、縫製による接合手段を用いても良い。
【００３０】
このようにして、広告付きマスクケース１０は、接着剤等により貼り合わせる手段以外にも、広告付きマスクケース１０を折り畳むことができる。すなわち、広告付きマスクケース１０は、多様な手段により、マスク５００を収納可能な中空部４００を設けることができる。
【００３１】
図３は、本考案の一実施の形態における広告付きマスクケース１０を折り畳んだ後の表側を示す平面図である。
【００３２】
図３に示されるように、広告付きマスクケース１０は、表面に第一の広告表示領域１００を有する。第一の広告表示領域１００には、広告付きマスクケース１０を配布する配布元（店舗など）についての広告が表示される。
【００３３】
例えば、広告付きマスクケース１０が飲食店にて配布される場合、第一の広告表示領域１００には、マスクケース１０を配布する店舗（例えば、飲食店）についての広告が表示される。具体的には、第一の広告表示領域１００は、「焼肉店〇〇」や「駅前徒歩３分」、電話番号等の、飲食店から利用客に向けた飲食店広告文１１０が表示される。
【００３４】
このように、マスクケース１０の表面を広告スペースとして活用することで、単なるマスクの収納袋としての利用に留まらず、マスクケース１０を配布する店舗の、例えば、飲食店等の集客効果を高めることができる。
【００３５】
図４は、本考案の一実施の形態における広告付きマスクケース１０を折り畳んだ後の裏側を示す平面図である。
【００３６】
図４に示されるように、広告付きマスクケース１０は、表面に第一の広告表示領域１００を有する。第二の広告表示領域２００は、「初期費用￥０」や「ＬＥＤ蛍光灯  株式会社〇〇」、電話番号等の、飲食店等に出資する出資者の情報が表示される出資者情報文２１０が表示される。
【００３７】
このように、マスクケース１０の表面を出資者情報の表示スペースとして活用することで、単なるマスクの収納袋としての利用に留まらず、マスクケース１０を配布する店舗に、例えば、飲食店等に出資する出資者の情報を知らせることができる。
【００３８】
図５は、本考案の一実施の形態における広告付きマスクケース１０の斜視図である。
【００３９】
図５に示されるように、広告付きマスクケース１０は、マスク５００を収納可能な中空部４００を有する。これにより、広告付きマスクケース１０は、中空部４００にマスク５００を収納できる。
＜本実施の形態の効果＞
以上説明した本実施の形態によれば、広告付きマスクケース１０は、利用者に飲食店等でマスクを取り外した際に容易にマスクを保管させることができ、さらに表面および裏面を有効な広告スペースとして活用できる。すなわち、広告付きマスクケース１０は、飲食店の利用者の衛生環境を良好に維持しつつ、飲食店の集客効果を高めることができる。
【００４０】
以上、本考案者によってなされた考案を実施の形態に基づき具体的に説明したが、本考案は前記実施の形態に限定されるものではなく、その要旨を逸脱しない範囲で種々変更可能であることはいうまでもない。例えば、広告付きマスクケース１０の形状が三角形状、五角形状、六角形状、七角形状、八角形上、九角形状である実施形態もある。また、たとえば、広告付きマスクケース１０は、上記以外にも、メッセージを表示可能な形状であれば良い。
【００４１】
本考案は、上記実施の形態に限定されるものではなく、その要旨を逸脱しない範囲で種々変更可能であることは言うまでもない。また、上記した実施の形態は本考案を分かりやすく説明するために詳細に説明したものであり、必ずしも説明した全ての構成を備えるものに限定されるものではない。例えば、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００４２】
１０……広告付きマスクケース
１００…飲食店広告表示領域
１１０…第一折れ線
２００…第二の広告表示領域
２１０…第二折れ線
３００…第一接合領域
３２０…第二接合領域
４００…中空部
５００…マスク
【図１】
0003229212.tif 000003
【図２】
0003229212.tif 000004
【図３】
0003229212.tif 000005
【図４】
0003229212.tif 000006
【図５】
0003229212.tif 000007